(57)【要約】【課題】例えば印鑑登録証明書、住民登録証明書、領収書等の書類が複写機でコピーされた場合に、そのコピー紙がコピーされた用紙であることを容易に判断できるようにする改ざん防止用紙の提供。【解決手段】紙面に印刷した背景色との色濃度差で表示される地紋の中に、その地紋の表示色に対する色濃度差で表示されるマイクロ表示手段を点在印刷してなる。【選択図】    図３
2004174829.tif 000002
【特許請求の範囲】
【請求項１】
紙面に印刷した背景色との色濃度差で表示される地紋の中に、その地紋の表示色との色濃度差で表示されるマイクロ表示手段を点在してなることを特徴とする改ざん防止用紙。
【請求項２】
マイクロ表示手段は、マイクロ文字、またはマイクロ画像であることを特徴とする請求項１に記載の改ざん防止用紙。
【請求項３】
地紋及びマイクロ表示手段が２００線以上の高密度線数で形成されていることを特徴とする請求項１または２に記載の改ざん防止用紙。
【請求項４】
地紋の中に点在配置するマイクロ画像の形態を、各地紋ごとに、その地紋形態と同じ形態となしていることを特徴とする請求項１乃至３のいずれかに記載の改ざん防止用紙。
【発明の詳細な説明】
【０００１】
【発明の属する技術分野】
本発明は、例えば印鑑登録証明書、住民登録証明書、領収書等の書類が複写機でコピーされた場合に、そのコピー紙がコピーされた用紙であることを容易に判断できる改ざん防止用紙に関するものである。
【０００２】
【従来の技術】
従来、公知である改ざん防止用紙（偽造防止用紙）には多種多様のものが既に開発されているが、それら公知の改ざん防止用紙を大別すると、基紙（ベースシート）に対し、複数の各種層を一体にしてなる多重層構造の偽造防止片等をその基紙と一体に設けてなる偽造防止用紙と、基紙に偽造防止の印刷層を施してなる偽造防止用紙とに区分される。
【０００３】
多重層構造の偽造防止片等を、基紙と一体に設けてなる従来の偽造防止用紙の構成は、支持体に対し接着剤層、反射性薄膜層、ホログラム形成層、剥離性保護層を順次重ねて形成してなるホログラムフィルム片等の偽造防止片を、基紙表面に一体に重ね合わせた構成となっており、この偽造防止用紙は、例えば株券、債権、小切手、商品券等の有価証券さらには、プリベイトカード、ＩＤカード等として用いられていることが知られている（例えば特許文献１参照）。
【０００４】
また、基紙に偽造防止印刷層を施してなる従来の偽造防止用紙は、基紙の所望面に、互いに異なる網点によって構成された潜像、及びこの潜像を取り囲む背景パターンを印刷したものであり、しかもその背景パターンは、複写機の解像能で複写不可能な網点のサイズ及び密度を選択し、潜像は、複写可能である網点のサイズ及び密度を選択してそれぞれ印刷されたものであって、この偽造防止用紙は、例えば印鑑登録証明書、住民登録証明書等の用紙としての使用に適するものである（例えば、実用新案登録文献１参照）。
【０００５】
【特許文献１】
特開平１１―２１７９３号公報（請求項１及び図１）
【実用新案登録文献１】
実用新案登録第３０７９２３０号公報（請求項１及び図１）
【０００６】
【発明が解決しようとする課題】
ところが、特許文献１に示されているように、基紙に対して多重層構造の偽造防止片を一体に設ける偽造防止用紙は、その偽造防止用紙自体の構成、特に偽造防止片の作成工程が複雑であり、かつ高価なものとなっているために、この偽造防止用紙は、高性能、高精密の偽造防止が要求される例えば株券、債権、小切手、商品券等の有価証券を作成する偽造防止用紙としては有効であるものの、例えば役所等において大量に取扱われる印鑑登録証明書、住民登録証明書、あるいは企業内での秘密文書等の印刷物を作成するために用いる偽造防止用紙としては、経済的に不利であって実用性に欠けるものである。
【０００７】
そこで、印鑑登録証明書、住民登録証明書等の用紙を作成するに有利に用いられる偽造防止用紙としては、その経済的観点から、上記実用新案登録文献１に記載されているような不正使用防止シートが知られている。
【０００８】
この不正使用防止シートは、既に述べているように、複写機の解像能で複写不可能な網点のサイズ及び密度を選択して印刷した背景パターンと、複写可能である網点のサイズ及び密度を選択して印刷された潜像との組合せであって、この不正使用防止シートを用いて作成した例えば印鑑登録証明書の場合、これをコピーすると複写機の解像能により背景パターンは複写されないが、潜像が印鑑の押捺位置に重なって表示されるので、その潜像が表示されているコピー紙は、不正にコピーされたものであることが認識できるようになっている。
【０００９】
ところが、その不正使用防止シートに予め施されている潜像は、多数個の網点を集合させて成る印刷であることから、潜像といえども印刷シート面において肉眼で容易に目視できる。このために従来の不正使用防止シートに施されている潜像は、カムフラージュされているものではなく予め印刷表示されている背景パターンに対し違和感を生じるものであった。
【００１０】
また、上記の不正使用防止シートを複写したコピー紙には、潜像が浮かび上がって表示されるようになっているので、その潜像が表示されているコピー紙は、正にコピーされたものであることが一目瞭然である反面、そのコピー紙面上で浮き上がって表示されている潜像が、所定の記入事項と干渉してその記入事項の判読の妨げとなることがある。
【００１１】
本発明では、上記事実に鑑みてなされたもので、基紙面に印刷する地紋の中に、複写機の解像能では再現不可能であるマイクロ表示手段を印刷せしめた改ざん防止用紙となし、この改ざん防止用紙の通常使用状態では、その用紙に偽造防止手段が施されているか否かを分かり難く（カムフラージュ）させて違和感のない用紙とすることができ、またその用紙を複写機でコピーして得たコピー紙においては、その複写機の解像能でマイクロ表示手段の形態が崩れていることが感知でき、このコピー紙がコピーされたものであることが容易に認識できるようにする改ざん防止用紙の提供を第一の目的とする。
【００１２】
また本発明は、例えば印鑑登録証明書、住民登録証明書等に使用される改ざん防止用紙を通常の印刷手段のみで作成することができるようにして、製作経済性を高め、さらには実用性にも優れた改ざん防止用紙の提供を第二の目的とする。
【００１３】
【課題を解決するための手段】
上記目的は、紙面に印刷した背景色との色濃度差で表示される地紋の中に、その地紋の表示色に対する色濃度差で表示されるマイクロ表示手段を点在配置してなる改ざん防止用紙により達成される。
【００１４】
また、本発明の好ましい実施の形態では、マイクロ表示手段が、マイクロ文字、またはマイクロ画像であることを特徴としている。
【００１５】
さらに、本発明の好ましい実施の形態は、地紋及びマイクロ表示手段が２００線以上の高密度線数で形成されていることを特徴としている。
【００１６】
さらにまた、本発明の好ましい実施の形態では、地紋の中に点在配置するマイクロ画像の形態を、各地紋ごとに、その地紋形態と同じ形態となしていることを特徴としている。
【００１７】
【作用】
本発明の改ざん防止用紙には、地紋の中にマイクロ文字、またはマイクロ画像からなるマイクロ表示手段を点在配置しているので、その改ざん防止用紙の通常使用状態では、マイクロ表示手段の存在が分かり難くなっている。  また本発明の改ざん防止用紙を複写機でコピーすると、コピーされたマイクロ表示手段の形態が、複写機の解像能に関係して崩れてしまい、そのマイクロ表示手段の判読が不能となる。
【００１８】
【発明の実施の形態】
以下に、本発明よりなる改ざん防止用紙の実施の形態を、印鑑登録証明書として示す図面に基づいて詳細に説明する。
【００１９】
図１は、その印鑑登録証明書の全体説明図、図２はその要部拡大部分図、図３は図２のさらに拡大部分図である。
【００２０】
１は、改ざん防止用紙であって、この改ざん防止用紙１の表面には、後で詳細に説明する改ざん防止印刷２が施されている。図１では、この改ざん防止用紙１を用いて印鑑登録証明書を作成した印刷物を示すもので、その印鑑登録証明書の表面には、証明書としての必要記載項目を記入すべき記入枠３、及び表示文字４等が印刷によって施されている。
【００２１】
上記改ざん防止用紙１に施した改ざん防止印刷２は、改ざん防止用紙１の全面又はその一部（本実施例では前面）に、所望のパターンで整列された多数の地紋６と、これら各地紋６の相互間を埋めるようにして施されている背景５と、各地紋６の中に配置（点在）されるマイクロ表示手段７とからなっている。本実施の形態では、マイクロ表示手段７としてマイクロ文字を使用する例で説明する。
【００２２】
地紋６は、その地紋６の周囲に施されている背景５との色濃度差で表示される。したがってその地紋６の表示色濃度設定は、背景５の表示色濃度に影響するが、背景５と地紋６との色濃度差は、約１０％以上あれば背景５に対する地紋６が有効表示される。
【００２３】
例えば図３で示すように、地紋６を白地で表示したい場合は、背景５の色濃度を白地に対して１０％以上の濃さの色に設定すれば地紋６の表示は可能である。また地紋６に色濃度を施した時には、その地紋６の色濃度に対して１０％以上の色濃度差で背景５を施せば地紋６を有効表示させることが可能である。
【００２４】
同様にして、地紋６の中で表示させるマイクロ文字７の表示色濃度は、地紋６の表示色濃度に対し１０％以上の濃度差があれば良く、例えば地紋６の表示色を白抜き（白色）としている時には、マイクロ文字の表示色濃度を白色に対し１０％以上とし、また地紋６の表示色濃度を白色に対し２０％としている時には、マイクロ文字７の表示色濃度を白色に対し３０％以上にするか、または１０％以下とすることでマイクロ文字７の有効表示が可能となる。
【００２５】
図２および図３では、そのマイクロ文字７の色濃度を白地に対し１００％となしてマイクロ文字７の説明を分かり易くしているが、実際は、そのマイクロ文字７の色濃度とく背景５の色濃度と近似値とすることで、マイクロ文字７のカムフラージュ効果が高められる。
【００２６】
次ぎに、地紋６及びマイクロ文字７の有効な大きさについて説明する。マイクロ文字と称せられる文字の大きさは一般的に０．２５ｍｍ角（１級）であり、この大きさのマイクロ文字（マイクロ画像）を用いることが望ましい。このマイクロ文字７の大きさに対して望ましい地紋６の大きさは、地紋６の中にマイクロ文字がはみ出ることなく収まる大きさであることが要求され、有効な地紋の大きさは約３ｍｍ角（１２級）程度の大きさである。
【００２７】
上記０．２５ｍｍ角のマイクロ文字７を鮮明に表示させるには、例えば図３で示すように２００線以上の高密度の線数形成されなければならない。したがって、そのマイクロ文字７と同時に印刷される地紋６も２００線以上の高密度の線数で形成（表示）される。
【００２８】
また、上記マイクロ文字７の形態は特に限定されるものではないが、図２及び図３で示すように、マイクロ文字７の形態と地紋６の形態とを同じとする、つまり地紋６の形が「Ｔ」であるときは、マイクロ文字の形も「Ｔ」とする、また地紋６の形が「Ｋ」であるときは、マイクロ文字の形も「Ｋ」とすることで、コピー紙上で崩れて表示されているマイクロ文字の形態判断が容易となる。
【００２９】
以上の説明で明らかなように、図３に示す本実施例の改ざん防止用紙は、用紙の白地に対して１０％色濃度の背景５となし、さらに地紋６を白抜きとなし、その白抜き地紋６の中に１０％以上の濃度差であるマイクロ文字７を印刷することで目的とする改ざん防止用紙を作成している。
【００３０】
そしてこの改ざん防止用紙を基にして、その紙面上に、用途に応じた印刷パターン、例えば図１で示すような適宜記入枠３、及び表示文字４等を印刷することで、改ざん防止機能を施して成る例えば印鑑登録証明書用の用紙が作成されるものである。
【００３１】
また、上記の背景５、地紋６、マイクロ文字７は、その何れかを又は全部を選択的にモノクロ印刷、カラー印刷とすることは自由である。
【００３２】
【発明の効果】
上記のように、本発明の改ざん防止用紙は、その用紙の紙面に施す地紋の内部にマイクロ表示手段を配置（点在）させているので、この用紙を複写機でコピーした場合に、そのコピー紙においては、複写機の解像能に関係してマイクロ表示手段の形態が崩れてコピーされるために、そのマイクロ表示手段の形態崩れを確認することでそのコピー紙が、複写機により複写されたものであることが判断できる。したがって証明書等の改ざん（偽造）防止に有効である。
【００３３】
また、背景に対して色濃度差で表示される地紋の内部に、その地紋に対しての色濃度差で表示されるマイクロ表示手段を配置印刷してなるので、その改ざん防止用紙に施したマイクロ表示手段の存在と判読がし難く、このために改ざん防止機能が有効にカムフラージュされて外観的にも違和感のない改ざん防止用紙の提供が可能となる。
【００３４】
さらに、そのマイクロ表示手段の色濃度を、背景の色濃度と同一色濃度に、またはそれと近似の色濃度に設定すれば、マイクロ表示手段の存在が一層分かり難くなり、背景と地紋による用紙の美観が損なわれることがない。
【００３５】
そして、この改ざん防止用紙を基に、複写機を用いてコピーすると、その複写機の解像能によりマイクロ表示手段の形態が崩れてコピーされるために、このマイクロ表示手段の崩れを確認することで複写された用紙であるか否かの判断が容易できる。
【００３６】
さらに本発明による改ざん防止用紙は、版を用いて印刷する周知の印刷手段の採用で容易に印刷できる印刷紙であるので、安価にして経済性にも富んだ改ざん防止用紙の提供が可能となる。
【図面の簡単な説明】
【図１】本発明よりなる改ざん防止手段を施した印鑑登録証明書の実施例を示した説明図である。
【図２】図１の要部拡大図であって、背景、地紋、マイクロ文字との形態を示す説明図である。
【図３】地紋と、この地紋内に配置されるマイクロ文字との形態を示す拡大説明図である。
【符号の説明】
１…改ざん防止用紙
２…改ざん防止印刷
３…記入欄
４…表示文字
５…背景
６…地紋
７…マイクロ文字
【図１】
2004174829.tif 000003
【図２】
2004174829.tif 000004
【図３】
2004174829.tif 000005